(57)【要約】【課題】  道路の法面に生育するツル性植物から伸びるツルが道路の歩道面又は車道面に侵入しないようにガードする為にネットを張着したフェンスの提供。【解決手段】  フェンス１は少なくとも支柱４とその上端には手摺りとなる上桟５を有し、ネット２は２種類の固定具を介して支柱と上桟に固定した構造とし、一方の固定具９はＵ形ボルト１１と固定板１２及びナット１３を有してＵ形ボルトをネット２の網目８に挿通すると共に固定板１２にて支柱４に取付け、他方の固定具１０は概略半円形の両円弧部１５，１５の先端を繋ぎ部１６，１６にて連結した形状とし、円弧部１５，１５を上桟５に嵌めることでネット２の上縁部を挟み込んで固定し、さらにネット２の下端部３を折り曲げて法面側へ延ばして固定している。【選択図】    図１
2017206904.tif 000002
【特許請求の範囲】
【請求項１】
道路の法面に生育するツル性植物から伸びるツルが道路の歩道面又は車道面に侵入しないようにガードする為にネットを張着したフェンスにおいて、該フェンスは少なくとも支柱とその上端には手摺りとなる上桟を有し、上記ネットは２種類の固定具を介して支柱と上桟に固定した構造とし、一方の固定具はＵ形ボルトと固定板及びナットを有してＵ形ボルトをネットの網目に挿通すると共に固定板にて支柱に取付け、他方の固定具は概略半円形の両円弧部の先端を繋ぎ部にて連結した形状とし、上記円弧部を上桟に嵌めることでネットの上縁部を挟み込んで固定し、さらにネットの下端部を折り曲げて法面側へ延ばして固定したことを特徴とするツル性植物のガードフェンス。
【請求項２】
上記支柱表面にネットを巻き付けてＵ形ボルトにて締め付けて固定した請求項１記載のツル性植物のガードフェンス。
【請求項３】
上記ネットは縦・横方向に一辺が３ｍｍの正方形の網目とし、強風時にも破れないように、ポリエステルを材質として表面にポリ塩化ビニールを被覆して強靭で延焼しないように防火性に優れた請求項１、又は請求項２記載のツル性植物のガードフェンス。
【請求項４】
上記Ｕ形ボルトが挿入されるように隣り合う網目を繋いで大きくした請求項１、請求項２、又は請求項３記載のツル性植物のガードフェンス。
【発明の詳細な説明】
【技術分野】
【０００１】
本発明は道路脇に成育するツル性植物（主にクズ）から伸びるツルが道路側に侵入しないようにするガードフェンスに関するものである。
【背景技術】
【０００２】
道路や歩道などの舗装路面の外側は一般的に非舗装面と成っていて、この非舗装面側でツル性植物が繁茂すると、ツル性植物から伸びるツルが道路側に侵入してくることがある。道路の両脇にはガードレール等の防護柵（ガードフェンス）が設置されているが、上記ツル性植物から伸びるツルはガードフェンスの隙間から、或いは該ガードフェンスの上部を乗り越えて路面側に侵入してくる。
【０００３】
道路側、特に歩道までツルが伸びる場合、これらのツルが歩行の障害となり、該ツルが足に絡まって転倒する場合もある。この為に従来では草刈機等を用いて道路側へ伸びたツルの刈り取り作業を行っている。しかし、ツル性植物の生育は速く、刈り取られたツルは直ちに伸びてしまい、常にツルの刈り取り作業が強いられる。
【０００４】
また、金属製の支柱が等間隔で起立しているガードフェンスの際に絡まっているツルを草刈機にて刈り取る作業は面倒であると共に重労働となる。しかも高速回転する円盤カッターが支柱に当たって破損することもあり、危険が伴う。
一方、草刈機にてツルを刈り取る代わりに、ツル性植物に除草剤を散布することで枯らしてしまう方法もあるが、強力な除草剤を大量に使用することは環境保全の上から好ましくない。
【０００５】
図７は道路の外側に生育したツル性植物のツル（ロ）が道路脇に設置したガードフェンス（イ）の隙間から侵入して歩道（ハ）にはみ出している状態を表している。
そして、図８（ａ）はツル（ロ）が侵入している歩道（ハ）を自転車に乗って走行している場合、（ｂ）は草刈機を用いて伸びたツル（ロ）を刈り取っている場合、（ｃ）はガードフェンス（イ）の支柱（ニ）に絡まっているツル（ロ）を草刈機の円盤カッター（ホ）が該支柱（ニ）に接触しながら刈り取っている場合をそれぞれ表している。
【０００６】
このように生育して伸びるツルを草刈機にて刈り取る作業は大変であると共に、維持管理費も嵩むことから、ガードフェンスにてツルの侵入を阻止するようにした技術も知られている。
特開２０１２−１０２４９４号に係る「防草フェンス」は、路面側への蔓植物の進入を簡単に防止することが可能な防草フェンスである。
すなわち、路面と非舗装面の境界部に対して立設される防草面部と、防草面部の上部から路面側とは反対側に向けて斜めに延出した反り返し部と、から防草フェンスを構成し、非舗装面側から路面側に雑草等の草木が進入することを防草面部によって阻止すると共に、反り返し部によって蔓植物を非舗装面側に反り返すように誘導することにより当該蔓植物が路面側に進入することを防止するようにしている。
【０００７】
上記防草フェンスは防草面部と反り返し部を有して構成され、その為に全体構造は複雑化してコストも高くなる。しかもこの防草フェンスは既存のフェンスを利用して構成することは出来ず、新たなフェンスとして据付なくてはならない。
【特許文献１】特開２０１２−１０２４９４号に係る「防草フェンス」
【発明の開示】
【発明が解決しようとする課題】
【０００８】
このように、道路脇（法面）に生育するツル性植物から伸びるツルが道路に侵入することで上記のごとき問題が発生する。本発明が解決しようとする課題はこの問題点であり、既存のフェンスを利用してツルが侵入しないようにしたツル性植物のガードフェンスを提供する。
【課題を解決するための手段】
【０００９】
本発明のツル性植物のガードフェンスは、フェンス（防護柵）にネットを張着して構成したものであり、道路脇の法面に生育するツル性植物から伸びるツルが路面に侵入しないようにしている。そこで、上記ネットはフェンスの外側（法面側）に面して配置し、固定具を介してフェンスに固定される。
ところで、上記フェンスの具体的な形態は限定しないが、垂直に起立する複数本の支柱を有し、これらの各支柱の上端には水平に延びる上桟を有している。
【００１０】
上記ネットはフェンスの支柱と上桟に固定具を介して固定される。その為に、固定具は支柱用と上桟用の２種類が用いられる。
そして、ネットはツルが侵入してフェンスへの絡みつきを阻止する為に目は細かく、素材は強靭かつ防炎性を備えている。
フェンスの外側に面して張着されるネットはその下端部を折り曲げて法面に接着剤又は接着テープを介して固定し、隣り合うネットの繋ぎ部では一部を重ね合わせた接続構造としている。
【発明の効果】
【００１１】
本発明のツル性植物のガードフェンスはフェンスの外側に面してネットを張着したのもあり、したがって、道路脇の法面に生育したツル性植物から延びるツルがネットを通過して路面に侵入することはない。そして、該ネットは固定具にて支柱及び上桟に簡単に固定することが出来、すなわち、既存のフェンスにネットを取付けるだけの施工で済む為に、トータル的な費用は安くなる。
【００１２】
また、張着されるネットはフェンスのみならず、その下端部を折り曲げて法面まで延びていて固定されている為に、フェンスの下端に隙間を生じることはなく、ツルがフェンス下端部から侵入することもない。
一方、使用されるネットは強靭であり、強風が吹いても破れることはなく、また防炎性を備えていることで、煙草の火で延焼することもない。
【図面の簡単な説明】
【００１３】
【図１】本発明に係るガードフェンスを示す実施例。
【図２】ネットを示す実施例。
【図３】支柱に取付けてネットを固定する固定具。
【図４】支柱に固定具を介してネットを固定した場合の断面図。
【図５】上桟に取付けてネット上縁部を固定する固定具。
【図６】上桟に固定具を介してネットを固定した場合の断面図。
【図７】道路の外側に生育たツル性植物のツルが道路脇に設置した防護柵（フェンス）の隙間から侵入して歩道にはみ出している状態を表している。
【図８】（ａ）は歩道を自転車に乗って走行している場合、（ｂ）は草刈機を用いて伸びたツルを刈り取っている場合、（ｃ）はガードフェンスの支柱に草刈機の円盤カッターが接触している場合をそれぞれ表している。
【発明を実施するための形態】
【００１４】
図１は本発明に係るツル性植物のガードフェンスを示す実施例であり、フェンス１の外側（法面側）にはネット２が張着されている。該ネット２はその下端部３が折り曲げられ、折り曲げられた下端部３は法面に固定されている。法面への固定手段は特に限定しないが、法面がコンクリート面であるならば一般には接着剤又は接着テープが用いられる。法面が土面の場合には、ピンを打ち込んで固定することが出来る。
【００１５】
フェンスは両側に支柱４，４が起立し、両支柱４，４の上端は手摺りとなる上桟５にて繋がれている。そして、支柱４，４の上端部には２本の横桟６ａ，６ｂが所定の間隔をおいて設けられ、両支柱４，４を繋いでいる。下側の横桟６ｂには複数本の縦桟７，７・・・が起立している。
ところで、上記複数のフェンス１，１・・・が道路脇に沿って配置され、防護柵を構成している。
【００１６】
上記フェンス１にはネット２が張着されて、縦桟７，７・・・間の空間、横桟６ａ，６ｂ間の空間、及び上桟５と横桟６ａ間の空間を塞いでいる。また、フェンス１だけでネット２を張着しているのではなく、下端部３が法面に固定されていることで、フェンス１の下端（法面との間）に隙間を作ることなく塞がれている。従って、ツル性植物が法面に生育してツルが伸びても、該ツルがフェンス１を通過して路面又は歩道面に侵入することはない。
【００１７】
図２はネット２を示す具体例である。該ネット２は縦・横方向に網目８，８・・・を有し、伸びたツルが該網目８，８・・・を通過しない程度に小さくしている。同図に示すネット２の編目８は一辺が３ｍｍの正方形としているが、より小さい網目８とすることも出来る。しかし、風当りが大きく成る為に、ある程度の大きさの網目８が必要となる。
【００１８】
そして、該ネット２は強風時に破れないように強靭である、かつタバコの火が原因とした延焼を防止する為に防火性に優れている。また、ネット２の色彩は目立ちにくいようにグレーが採用されている。該ネット２の具体的な材質は限定しないが、例えばポリエステルを用いて構成し、表面にはポリ塩化ビニールを被覆したものとすることが出来る。
ところで、該ネット２は固定具９と固定具１０を使用してフェンス１に張着されている。
【００１９】
図３は固定具９を示す具体例である。該固定具９はＵ形ボルト１１、固定板１２及びナット１３，１３から成り、Ｕ形ボルト１１の両先端部にはネジ１４，１４が形成され、このネジ１４，１４に上記ナット１３，１３が螺合している。上記固定板１２の両端に設けた穴にＵ形ボルト１１の両先端部が嵌合し、この状態でナット１３，１３が螺合して固定板１２が外れないようにしている。
ところで、この固定具９は支柱４に取付けて上記ネット２を固定することが出来る。
【００２０】
固定具９のＵ形ボルト１１をネット２の網目に挿通し、該ネット２がＵ形ボルト１１から外れないように固定板１２をＵ形ボルト１１に嵌めて押え、そしてナット１３，１３を締め付ける。したがって、ネット２は図４に示すように支柱に固定される。ここで、ネット２の網目８はＵ形ボルト１１が挿通するほど大きくない為に、該網目８は大きくされる。
【００２１】
図４（ａ）に示すように、ネット２を支柱４とＵ形ボルト１１の間に挟み込んで固定するならば、該ネット２は支柱４に巻き付いた状態でＵ形ボルト１１によって固定される為に、ネット２のダブ付きを防止することが出来る。しかもネット２を支柱表面に圧接した状態で固定される為に強風がネット面に作用しても網目８が破れることはない。
これに対して、図４（ｂ）に示すネット２の固定方法は、該ネット２は支柱表面に巻き付くことなく、該支柱４と固定板１２との間に挟み込んでいる。
【００２２】
図５はフェンス１の手摺りとなる上桟５に取付けてネット２の上縁部を固定する為の固定具１０を示す具体例である。この固定具１０は両側に概略半円形をした円弧部１５，１５を有し、この円弧部１５，１５の両先端は繋ぎ部１６，１６によって連結している。ここで、上記円弧部１５の内径は上桟５の外径より小さくなっているが、円弧部１５が拡張することで上桟５に嵌ってネット２の上縁部を固定することが出来る。
【００２３】
図６は上記固定具１０を上桟に取付けてネット上縁部を固定している状態の断面を示している。該固定部１０は両繋ぎ部を持って広げるならば、円弧部１５の内径も拡張し、この状態で上桟５に嵌めることが出来る。この場合、ネット２の上縁部は上桟５に掛けられていて、固定具１０を取付けることで該ネット２は同図に示すように上桟５と円弧部１５との間に挟み込まれる。
【００２４】
固定具１０にてネット２を固定する場合にも、該ネット２は上桟５に巻き付いた状態で円弧部１５にて押圧されることで、ネット２の網目８に負担を掛けることなく固定することが出来、強風時にもネット２は破れることはない。
【符号の説明】
【００２５】
１   フェンス
２   ネット
３   下端部
４   支柱
５   上桟
６   横桟
７   縦桟
８   網目
９   固定具
10   固定具
11   Ｕ形ボルト
12   固定板
13   ナット
14   ネジ
15   円弧部
16   繋ぎ部
【図１】
2017206904.tif 000003
【図２】
2017206904.tif 000004
【図３】
2017206904.tif 000005
【図４】
2017206904.tif 000006
【図５】
2017206904.tif 000007
【図６】
2017206904.tif 000008
【図７】
2017206904.tif 000009
【図８】
2017206904.tif 000010